(57)【要約】【課題】移動体を円滑に移動させる収納ボックスを提供する。【解決手段】収納ボックスは、ケース４０と、移動体である蓋体５０と、スライド機構６０とを備える。スライド機構６０は、ケース４０に配設された固定レール７０と、蓋体５０に配設された移動レール８０とを有する。移動レールは第１凸部８２と第２凸部８３とを有し、第１凸部８２及び第２凸部８３は移動方向視において離間する。固定レール７０には、蓋体５０が第１位置にあるときに、第１凸部８２と接触する第３凸部７２、及び第２凸部８３と接触する第５凸部７４と、蓋体５０が第２位置にあるときに、第１凸部８２と接触する第４凸部７３、及び第２凸部８３と接触する第６凸部７５とが設けられている。【選択図】図６
2018075981.tif 000002
【特許請求の範囲】
【請求項１】
ケースと、
前記ケースに対して相対移動する移動体と、
前記移動体の相対移動を案内するスライド機構とを備え、
前記スライド機構は、前記ケースに配設された固定レールと、前記移動体に配設された移動レールとを有し、
前記移動レールには、前記固定レールに向けて突出し、前記移動体の移動方向において離間した第１凸部及び第２凸部が設けられ、
前記第１凸部及び前記第２凸部は、前記移動方向から視たときに離間していて、
前記固定レールには、前記移動レールに向けて突出し、前記移動体が第１位置にあるときに、前記第１凸部と接触する第３凸部、及び前記第２凸部と接触する第５凸部と、前記移動体が第２位置にあるときに、前記第１凸部と接触する第４凸部、及び前記第２凸部と接触する第６凸部とが設けられている収納ボックス。
【請求項２】
前記第３凸部及び前記第４凸部の各々における突出方向の先端面であって前記第１凸部と接触する接触面の面積は、前記第１凸部における突出方向の先端面であって前記第３凸部及び前記第４凸部と接触する第１先端面の面積に比して大きく、
前記第５凸部及び前記第６凸部の各々における突出方向の先端面であって前記第２凸部と接触する接触面の面積は、前記第２凸部における突出方向の先端面であって前記第５凸部及び前記第６凸部と接触する第２先端面の面積に比して大きい
請求項１に記載の収納ボックス。
【請求項３】
前記移動体が前記第１位置にあるとき及び前記第２位置にあるときの双方において、前記移動レールは、前記移動方向における全体が前記固定レールと対向しており、
前記第１凸部は前記移動レールの前記移動方向における一端部に配置され、
前記第２凸部は前記移動レールの前記移動方向における他端部に配置されている
請求項１または２に記載の収納ボックス。
【請求項４】
ケースと、
前記ケースに対して相対移動する移動体と、
前記移動体の相対移動を案内するスライド機構とを備え、
前記スライド機構は、前記ケースに配設された固定レールと、前記移動体に配設された移動レールとを有し、
前記固定レールには、前記移動レールに向けて突出し、前記移動体の移動方向において離間した第１凸部及び第２凸部が設けられ、
前記第１凸部及び前記第２凸部は、前記移動方向から視たときに離間していて、
前記移動レールには、前記固定レールに向けて突出し、前記移動体が第１位置にあるときに、前記第１凸部と接触する第３凸部、及び前記第２凸部と接触する第５凸部と、前記移動体が第２位置にあるときに、前記第１凸部と接触する第４凸部、及び前記第２凸部と接触する第６凸部とが設けられている収納ボックス。
【請求項５】
前記第１凸部及び前記第２凸部は突出方向における先端側ほど断面積が小さくなる錘台形状に形成されている
請求項１〜４のいずれか一項に記載の収納ボックス。
【請求項６】
前記第３凸部、前記第４凸部、前記第５凸部、及び前記第６凸部は突出方向における先端側ほど断面積が小さくなる錘台形状に形成されている
請求項１〜５のいずれか一項に記載の収納ボックス。
【発明の詳細な説明】
【技術分野】
【０００１】
本発明は、車両に搭載される収納ボックスに関する。
【背景技術】
【０００２】
図１４に示すように、特許文献１に記載の収納ボックスは、ケース１００と、該ケース１００内に配置された引出部１１０と、ケース１００に対する引出部１１０の引き出しを案内するスライド機構１２０とを備えている。ケース１００は、四角板状の下壁１０１と、該下壁１０１の周縁から立設された側壁１０２と、該側壁１０２の上端を連結している上壁１０３とからなる。下壁１０１においてその周縁のうち一辺には側壁１０２が立設されておらず、ケース１００は側方に開口した四角箱状に形成されている。引出部１１０は、四角板状の底壁１１１と、該底壁１１１の周縁から立設された周壁１１２とを有し、上方に開口した四角箱状に形成されている。スライド機構１２０は、一対のレールからなる固定レール１２１と、該固定レール１２１の一対のレールの間に配置された移動レール１２５とを有している。固定レール１２１は、一対のレールのそれぞれの一端がケース１００の側壁１０２に連結されている。また、移動レール１２５の一端は、引出部１１０の周壁１１２に連結されている。
【０００３】
図１５に示すように、固定レール１２１において、上方に位置するレールを上側レール１２２といい、下方に位置するレールを下側レール１２３という。上側レール１２２及び下側レール１２３は、それぞれが引出部１１０の移動方向（図１５の左右方向）に延びており、互いに所定距離離間して配置されている。上側レール１２２において、下側レール１２３側の対向面１２４には、上記移動方向における一端（図１５の右端）から下側レール１２３側（図１５の下方）に突出した第１凸部１２２Ａと、上記移動方向における他端（図１５の左端）から下側レール１２３側に突出した第２凸部１２２Ｂとが設けられている。また、上側レール１２２の対向面１２４には、その中央よりも上記一端側の部分から下側レール１２３側に突出した第３凸部１２２Ｃも設けられている。
【０００４】
移動レール１２５は、下側レール１２３に載置された状態で配置されている。移動レール１２５において、上側レール１２２側の移動面１２６には、上記移動方向における一端（図１５の右端）から上側レール１２２側（図１５の上方）に突出した第４凸部１２５Ａと、上記移動方向における他端（図１５の左端）から上側レール１２２側に突出した第５凸部１２５Ｂとが設けられている。また、移動レール１２５の移動面１２６には、その中央よりも上記他端側の部分から上側レール１２２側に突出した第６凸部１２５Ｃも設けられている。
【０００５】
図１５に示すように、引出部１１０がケース１００内に配置された状態では、移動レール１２５の全体が一対の固定レール１２１の間に配置される。この場合、上側レール１２２の第１凸部１２２Ａと移動レール１２５の第４凸部１２５Ａとが接触し、上側レール１２２の第２凸部１２２Ｂと移動レール１２５の第５凸部１２５Ｂとが接触する。そのため、移動レール１２５は、上側レール１２２と下側レール１２３とによって挟まれた状態になる。
【０００６】
一方で、引出部１１０がケース１００から引き出される際には、移動レール１２５が下側レール１２３に対して摺動する。これにより、引出部１１０の引き出しが案内される。
図１６に示すように、引出部１１０がケース１００から引き出されると、移動レール１２５と固定レール１２１との相対位置が変化し、移動レール１２５の上記一端側の部分も上側レール１２２及び下側レール１２３の間から引き出される。このように引出部１１０が引き出された状態では、上側レール１２２の第１凸部１２２Ａは移動レール１２５の第６凸部１２５Ｃと接触し、上側レール１２２の第３凸部１２２Ｃは移動レール１２５の第５凸部１２５Ｂと接触する。そのため、移動レール１２５は、上側レール１２２と下側レール１２３とによって挟まれた状態になる。
【０００７】
特許文献１に記載の収納ボックスでは、引出部１１０がケース１００内に配置された状態及びケース１００から引き出された状態の双方の状態において、引出部１１０に連結された移動レール１２５が固定レール１２１によって挟まれた状態となる。これにより、引出部１１０のがたつきが抑えられている。
【先行技術文献】
【特許文献】
【０００８】
【特許文献１】特開２００８‐３７１４７号公報
【発明の概要】
【発明が解決しようとする課題】
【０００９】
特許文献１に記載の収納ボックスでは、引出部を移動させる際に、移動レールの第６凸部が上側レールの第３凸部と下側レールとの間を通過する。この場合、第６凸部と第３凸部とが干渉して引出部の円滑な移動が妨げられることもある。
【課題を解決するための手段】
【００１０】
上記課題を解決するための収納ボックスは、ケースと、前記ケースに対して相対移動する移動体と、前記移動体の相対移動を案内するスライド機構とを備えている。前記スライド機構は、前記ケースに配設された固定レールと、前記移動体に配設された移動レールとを有している。前記移動レールには、前記固定レールに向けて突出し、前記移動体の移動方向において離間した第１凸部及び第２凸部が設けられている。前記第１凸部及び前記第２凸部は、前記移動方向から視たときに互いに離間している。前記固定レールには、前記移動レールに向けて突出し、前記移動体が第１位置にあるときに、前記第１凸部と接触する第３凸部、及び前記第２凸部と接触する第５凸部と、前記移動体が第２位置にあるときに、前記第１凸部と接触する第４凸部、及び前記第２凸部と接触する第６凸部とが設けられている。
【００１１】
上記構成では、移動レールに設けられた第１凸部と第２凸部とが上記移動方向から視たときに離間している。そして、固定レールには、移動体が第１位置にあるときに、第１凸部と接触する第３凸部、及び第２凸部と接触する第５凸部が設けられ、移動体が第２位置にあるときに、第１凸部と接触する第４凸部、及び第２凸部と接触する第６凸部が設けられている。このように、上記移動方向から視たときに離間している第１凸部及び第２凸部と接触するように、第３凸部、第４凸部、第５凸部、及び第６凸部が配置されるため、移動体が第１位置から第２位置に移動して、第１凸部が第３凸部に接触した状態から第４凸部に接触した状態に到る際に、第１凸部を第５凸部及び第６凸部と干渉しにくくできる。また、移動体が第１位置から第２位置に移動して、第２凸部が第５凸部に接触した状態から第６凸部に接触した状態に到る際に、第２凸部を第３凸部及び第４凸部と干渉しにくくできる。なお、移動体が第２位置から第１位置に移動する際も同様である。したがって、上記構成によれば、第１位置及び第２位置に配置された際に移動体ががたつくことを抑制することができるとともに、移動体を円滑に移動させることができる。
【００１２】
また、上記収納ボックスでは、前記第３凸部及び前記第４凸部の各々における突出方向の先端面であって前記第１凸部と接触する接触面の面積は、前記第１凸部における突出方向の先端面であって前記第３凸部及び前記第４凸部と接触する第１先端面の面積に比して大きく、前記第５凸部及び前記第６凸部の各々における突出方向の先端面であって前記第２凸部と接触する接触面の面積は、前記第２凸部における突出方向の先端面であって前記第５凸部及び前記第６凸部と接触する第２先端面の面積に比して大きいことが望ましい。
【００１３】
上記構成では、固定レールに設けられている第３凸部及び第４凸部の各々の接触面が移動レールに設けられている第１凸部の第１先端面よりも大きく、固定レールに設けられている第５凸部及び第６凸部の各々の接触面が移動レールに設けられている第２凸部の第２先端面よりも大きい。固定レールに対して移動レールが相対移動して移動体が第１位置又は第２位置に配置される場合、その配置が所定の位置からずれることもある。上記構成では、そうした移動体の配置ずれが生じたとしても、各凸部の接触面積がより小さくなることを抑えることができる。したがって、移動体の第１位置及び第２位置における配置安定性の向上に貢献できる。なお、移動体とともに移動する移動レールに設けられた第１凸部及び第２凸部ではなく、ケースに固定された固定レールに設けられた第３凸部〜第６凸部において、それらの接触面を大きくしている。したがって、上記構成によれば、移動体の質量増加を抑えつつ、移動体の配置安定性の向上に貢献できる。
【００１４】
また、上記収納ボックスでは、前記移動体が前記第１位置にあるとき及び前記第２位置にあるときの双方において、前記移動レールは、前記移動方向における全体が前記固定レールと対向しており、前記第１凸部は前記移動レールの前記移動方向における一端部に配置され、前記第２凸部は前記移動レールの前記移動方向における他端部に配置されていることが望ましい。
【００１５】
上記構成では、移動体が第１位置及び第２位置にあるときに、移動レールの両端部が固定レールによって支持される。そのため、上記構成によれば、移動レールの中央部分を支持する構成に比して移動体の傾きが抑制され、第１位置及び第２位置にあるときの移動体の配置安定性が向上する。
【００１６】
また、上記課題を解決するための収納ボックスは、ケースと、前記ケースに対して相対移動する移動体と、前記移動体の相対移動を案内するスライド機構とを備えている。前記スライド機構は、前記ケースに配設された固定レールと、前記移動体に配設された移動レールとを有している。前記固定レールには、前記移動レールに向けて突出し、前記移動体の移動方向において離間した第１凸部及び第２凸部が設けられている。前記第１凸部及び前記第２凸部は、前記移動方向から視たときに離間している。前記移動レールには、前記固定レールに向けて突出し、前記移動体が第１位置にあるときに、前記第１凸部と接触する第３凸部、及び前記第２凸部と接触する第５凸部と、前記移動体が第２位置にあるときに、前記第１凸部と接触する第４凸部、及び前記第２凸部と接触する第６凸部とが設けられている。
【００１７】
上記構成では、固定レールに設けられた第１凸部と第２凸部とが上記移動方向から視たときに離間している。そして、移動レールには、移動体が第１位置にあるときに、第１凸部と接触する第３凸部、及び第２凸部と接触する第５凸部が設けられ、移動体が第２位置にあるときに、第１凸部と接触する第４凸部、及び第２凸部と接触する第６凸部が設けられている。このように、上記移動方向から視たときに離間している第１凸部及び第２凸部と接触するように、第３凸部、第４凸部、第５凸部、及び第６凸部が配置されるため、移動体が第１位置から第２位置に移動して、第１凸部が第３凸部に接触した状態から第４凸部に接触した状態に到る際に、第１凸部を第５凸部及び第６凸部と干渉しにくくできる。また、移動体が第１位置から第２位置に移動して、第２凸部が第５凸部に接触した状態から第６凸部に接触した状態に到る際に、第２凸部を第３凸部及び第４凸部と干渉しにくくできる。なお、移動体が第２位置から第１位置に移動する際も同様である。したがって、上記構成によれば、第１位置及び第２位置に配置された際に移動体ががたつくことを抑制することができるとともに、移動体を円滑に移動させることができる。
【００１８】
また、上記各収納ボックスでは、前記第１凸部及び前記第２凸部は突出方向における先端側ほど断面積が小さくなる錘台形状に形成されていることが望ましい。
移動体が相対移動している状態から第１位置又は第２位置へ配置された状態に到る際、第１凸部の側面と第３凸部及び第４凸部の側面とが接触することがある。上記構成では、第１凸部及び第２凸部が錘台形状に形成されているため、仮に、第１凸部と第３凸部及び第４凸部との側面同士が接触したとしても、第１凸部の第１先端面と第３凸部及び第４凸部の接触面との接触へより円滑に移行する。なお、第２凸部と第５凸部及び第６凸部との関係においても同様である。したがって、移動体の相対移動が不安定であったとしても、移動体の第１位置又は第２位置への配置がより確実となる。
【００１９】
また、上記各収納ボックスでは、前記第３凸部、前記第４凸部、前記第５凸部、及び前記第６凸部は突出方向における先端側ほど断面積が小さくなる錘台形状に形成されていることが望ましい。
【００２０】
移動体が相対移動している状態から第１位置又は第２位置へ配置された状態に到る際、第１凸部の側面と第３凸部及び第４凸部の側面とが接触することがある。上記構成では、第３凸部、第４凸部、第５凸部、及び第６凸部が錘台形状に形成されているため、仮に、第１凸部と第３凸部及び第４凸部との側面同士が接触したとしても、第１凸部の第１先端面と第３凸部及び第４凸部の接触面との接触へより円滑に移行する。なお、第２凸部と第５凸部及び第６凸部との関係においても同様である。したがって、移動体の相対移動が不安定であったとしても、移動体の第１位置又は第２位置への配置がより確実となる。
【図面の簡単な説明】
【００２１】
【図１】収納ボックスの一実施形態が配設されたセンターコンソールを示す斜視図。
【図２】開口が閉塞された収納ボックスの構成を模式的に示す断面図。
【図３】蓋体の構成を模式的に示す斜視図。
【図４】収納ボックスが開口した状態のセンターコンソールの斜視図。
【図５】開口している収納ボックスの構成を模式的に示す断面図。
【図６】スライド機構の構成を模式的に示す断面図。
【図７】蓋体が第１位置と第２位置とで移動したときの第１凸部及び第２凸部の相対移動軌跡を示す平面図。
【図８】上側レールに設けられた第３凸部、第４凸部、第５凸部、及び第６凸部の配置態様を示す平面図。
【図９】図６の９−９線に沿った断面図。
【図１０】図６の１０−１０線に沿った断面図。
【図１１】スライド機構の変更例の構成を模式的に示す断面図。
【図１２】固定レールにおける第３凸部、第４凸部、第５凸部及び第６凸部の配置態様の変更例を示す平面図。
【図１３】スライド機構の他の変更例の構成を模式的に示す断面図。
【図１４】従来の収納ボックスの構成を模式的に示す断面図。
【図１５】従来の収納ボックスにおけるスライド機能の構成を示す断面図であって、引出部がケース内に配置された状態の図。
【図１６】従来の収納ボックスにおけるスライド機能の構成を示す断面図であって、引出部がケースから引き出された状態の図。
【発明を実施するための形態】
【００２２】
収納ボックスの一実施形態について、図１〜図９を参照して説明する。
図１に示すように、車両の運転席と助手席との間に配置されたセンターコンソール１０には、カップホルダ２０や収納ボックス３０などが設けられている。収納ボックス３０は、センターコンソール１０に設けられているケース４０を有している。ケース４０内には、該ケース４０に対して相対移動する移動体として蓋体５０が設けられている。
【００２３】
図１及び図２に示すように、ケース４０は、直方体形状に形成されていて、四角板状の下壁４１と、該下壁４１の周縁から立設された側壁４２と、該側壁４２の上端を連結する上壁４３とからなる。側壁４２は、下壁４１の周縁全周に亘って立設されている。上壁４３には、開口４３Ａが形成されている。開口４３Ａの大きさは上壁４３の略半分である。開口４３Ａは、車両後方側（図２の右側）に配置されている。このため、ケース４０は、車両後方側の半分が上方に開口した形状に形成されている。蓋体５０は、ケース４０内において上壁４３に近接した位置に配置されている。蓋体５０の大きさは、ケース４０の開口４３Ａを閉塞可能な大きさに設定されている。
【００２４】
図３に示すように、蓋体５０は、四角板状の底壁５１と、該底壁５１の周縁から立設された周壁５２とを有している。周壁５２は、下壁４１の周縁全周に亘って立設されている。これにより、蓋体５０は、上方に開口した箱状をなしている。蓋体５０には、操作壁５３も設けられている。操作壁５３は図３に矢印で示す底壁５１の短手方向において一端側に配置されており、周壁５２の上端から外方に延びている。操作壁５３の中央部分には操作孔５３Ａが形成されている。蓋体５０はケース４０に対して、図２及び図３に矢印で示す方向、すなわち底壁５１の短手方向に相対移動可能である。図１及び図２に示すように、蓋体５０の操作壁５３をケース４０の側壁４２に当接した位置に配設することで、ケース４０の開口４３Ａが閉塞される。この状態を蓋体５０の閉位置という。
【００２５】
また、図４に示すように、蓋体５０をケース４０に対して相対移動させて、該蓋体５０の略全体を上壁４３の下方に配置することにより、ケース４０の開口４３Ａが開放される。この状態を蓋体５０の開位置という。このように、蓋体５０は閉位置と開位置との間でケース４０に対して相対移動可能であり、閉位置が第１位置に相当し、開位置が第２位置に相当する。
【００２６】
図２及び図５に示すように、ケース４０内には、蓋体５０を開位置で保持する保持機構９０が設けられている。保持機構９０は、ケース４０の側壁４２と蓋体５０の周壁５２との間に配置されたばね９１と、ケース４０の側壁４２に固定されたラッチ９２と、蓋体５０の周壁５２に固定された爪９３とからなる。
【００２７】
図５に示すように、蓋体５０が開位置にあるときには、ばね９１は圧縮された状態になるとともに、ラッチ９２が爪９３を把持して蓋体５０の移動を規制する。ラッチ９２は、押圧によって爪９３に対する把持、解放を交互に繰り返すように構成されている。そのため、この状態から、蓋体５０を開位置側（図５の左側）に押圧操作することにより、ラッチ９２の爪９３に対する把持が解除され、図２に示すように、ばね９１の付勢力によって蓋体５０が閉位置まで移動する。また、蓋体５０が閉位置にあるときには、ばね９１の付勢力に抗して蓋体５０を開位置側に操作して、ラッチ９２に爪９３を当接させる。この状態でさらに開位置側に蓋体５０を押圧操作することにより、ラッチ９２が爪９３を把持して蓋体５０の移動が規制される。これにより、図５に示すように、ばね９１が圧縮された状態のまま蓋体５０が開位置に保持される。
【００２８】
図６に示すように、収納ボックス３０には、ケース４０に対する蓋体５０の相対移動を案内するスライド機構６０も設けられている。スライド機構６０は、蓋体５０を挟むように該蓋体５０の長手方向（図６の左右方向）に対になって設けられている。この一対のスライド機構６０の構成は互いに対称である。そのため、以下では、一方（図６の左方）のスライド機構６０Ａの構成について説明し、他方（図６の右方）のスライド機構６０Ｂの構成については同様の符号を付してその説明を省略する。
【００２９】
スライド機構６０は、ケース４０に配設された固定レール７０を有している。固定レール７０は、一対のレールからなる。一対のレールは、互いに上下方向に離間して対向している。一対のレールのうち、上側に配置されたレールを上側レール７１といい、下側に配置されたレールを下側レール７６という。固定レール７０では、各レール７１，７６の一端がケース４０の側壁４２の内周面に連結されている。固定レール７０は、ケース４０の側壁４２の一端から他端まで蓋体５０の移動方向（図６の奥行き方向）に連続して板状に延びている。
【００３０】
スライド機構６０は、蓋体５０に配設された移動レール８０も有している。移動レール８０は、一本のレールであり、固定レール７０の上側レール７１及び下側レール７６の間に配置されている。移動レール８０は、その一端が蓋体５０の周壁５２の外周面に連結されている。移動レール８０は、蓋体５０の周壁５２の一端から他端まで上記移動方向に連続して板状に延びている。移動レール８０における板厚や板幅は、固定レール７０の各レール７１，７６における板厚や板幅と同じである。一方で、移動レール８０の長さは、固定レール７０の長さの略半分に設定されている。また、固定レール７０を構成している素材及び移動レール８０を構成している素材は同じである。そのため、移動レール８０は、その質量が固定レール７０の質量の１／４ほどである。移動レール８０は、その下面８０Ｂが下側レール７６の上面７６Ａに当接している。固定レール７０の各レール７１，７６間の距離は、移動レール８０の板厚よりも長い。そのため、移動レール８０は、その上面８０Ａが上側レール７１の下面７１Ａから離間している。固定レール７０はケース４０に固定されていて、移動レール８０は蓋体５０とともにケース４０及び固定レール７０に対して相対移動する。蓋体５０がケース４０に対して相対移動する際には、移動レール８０が下側レール７６に対して摺動し、蓋体５０の相対移動が案内される。
【００３１】
図３及び図６に示すように、移動レール８０には、その上面８０Ａから上方、すなわち上側レール７１に向けて突出した第１凸部８２及び第２凸部８３が設けられている。第１凸部８２及び第２凸部８３は、蓋体５０の移動方向において離間して配置されている。なお、第１凸部８２は上記移動方向における一端部に設けられており、第２凸部８３は上記移動方向における他端部に設けられている。第１凸部８２の形状と第２凸部８３の形状とは同じ形状であり、双方とも四角錐台形状に形成されている。すなわち、第１凸部８２及び第２凸部８３は、側面視において台形状をなし、突出方向における先端側ほど断面積が小さくなっている。また、図６に示すように、蓋体５０の移動方向から視た場合、第１凸部８２と第２凸部８３とは離間しており重ならない。
【００３２】
図７には、蓋体５０が図７に実線で示す閉位置と図７に二点鎖線で示す開位置との間で移動したときの第１凸部８２の固定レール７０に対する相対移動軌跡である第１軌跡Ｒ１と、蓋体５０が移動したときの第２凸部８３の固定レール７０に対する相対移動軌跡である第２軌跡Ｒ２とを示している。第１凸部８２及び第２凸部８３は、上記移動方向から視たときに離間していることから、これら第１軌跡及び第２軌跡も、上記移動方向から視たときに離間している。なお、第１軌跡及び第２軌跡は、蓋体５０の移動方向と直交する直交方向（図７の左右方向）において離間している。
【００３３】
図８に示すように、上側レール７１の下面７１Ａにおいて、第１軌跡Ｒ１を移動レール８０の上面８０Ａに対して垂直な方向に投影したときの投影領域、すなわち、平面視において上側レール７１における第１軌跡Ｒ１と重なる領域を第１投影領域Ｒ３とする。上側レール７１には、第１投影領域Ｒ３上に第３凸部７２及び第４凸部７３が配置されている。第３凸部７２及び第４凸部７３は、蓋体５０の移動方向（図８の上下方向）において離間している。また、上側レール７１の下面７１Ａにおいて、第２軌跡Ｒ２を移動レール８０の上面８０Ａに対して垂直な方向に投影した投影領域、すなわち、平面視において上側レール７１における第２軌跡Ｒ２と重なる領域を第２投影領域Ｒ４とする。上側レール７１には、第２投影領域Ｒ４上に、第５凸部７４及び第６凸部７５が配置されている。第５凸部７４及び第６凸部７５は、上記移動方向において離間している。
【００３４】
図９に示すように、第３凸部７２及び第４凸部７３は、上側レール７１の下面７１Ａから下方、すなわち移動レール８０に向けて突出している。第３凸部７２の形状と第４凸部７３の形状とは同じ形状であり、双方とも四角錐台形状に形成されている。すなわち、第３凸部７２及び第４凸部７３は、側面視において台形状をなし、突出方向における先端側ほど断面積が小さくなっている。第３凸部７２の突出方向の先端面７２Ａの面積及び第４凸部７３の突出方向の先端面７３Ａの面積は、移動レール８０に設けられている第１凸部８２の突出方向の先端面である第１先端面８２Ａの面積に比して大きい。また、第３凸部７２における上側レール７１に連結されている基端面の面積と、第４凸部７３における上側レール７１に連結されている基端面の面積の面積とは、第１凸部８２における移動レール８０に連結されている基端面の面積と同じである。第１凸部８２の突出高さと、第３凸部７２の突出高さ又は第４凸部７３の突出高さとを加算した高さは、移動レール８０の上面８０Ａと上側レール７１の下面７１Ａとの間の高さｈ１と等しい。本実施形態では、第１凸部８２の突出高さ、第３凸部７２の突出高さ、及び第４凸部７３の突出高さはそれぞれ、上記高さｈ１の半分に設定されている。
【００３５】
図９に実線で示すように、第３凸部７２は、蓋体５０が閉位置にあるときの第１凸部８２の位置に対応して配置されている。また、図９に二点鎖線で示すように、第４凸部７３は、蓋体５０が開位置にあるときの第１凸部８２の位置に対応して配置されている。そのため、蓋体５０が閉位置にあるときには、第１凸部８２の第１先端面８２Ａと第３凸部７２の先端面７２Ａとが接触し、蓋体５０が開位置にあるときには、第１凸部８２の第１先端面８２Ａと第４凸部７３の先端面７３Ａとが接触する。すなわち、第３凸部７２の先端面７２Ａ及び第４凸部７３の先端面７３Ａがそれぞれ、第１凸部８２と接触する接触面として機能する。蓋体５０が閉位置にあるときと開位置にあるときとの双方において、移動レール８０は、移動方向における全体が固定レール７０の上側レール７１及び下側レール７６と対向している。そのため、蓋体５０が閉位置にあるとき及び開位置にあるときに、移動レール８０の上記移動方向における一端部（図９の右端部）は、上側レール７１と下側レール７６とによって挟まれた状態になる。
【００３６】
図１０に示すように、第５凸部７４及び第６凸部７５は、上側レール７１の下面７１Ａから下方、すなわち移動レール８０に向けて突出している。第５凸部７４の形状と第６凸部７５の形状とは同じ形状であり、双方とも四角錐台形状に形成されている。すなわち、第５凸部７４及び第６凸部７５は、側面視において台形状をなし、突出方向における先端側ほど断面積が小さくなっている。第５凸部７４の突出方向における先端面７４Ａの面積及び第６凸部７５の突出方向における先端面７５Ａの面積は、移動レール８０に設けられている第２凸部８３の突出方向の先端面である第２先端面８３Ａの面積に比して大きい。また、第５凸部７４における上側レール７１に連結されている基端面の面積と、第６凸部７５における上側レール７１に連結されている基端面の面積の面積とは、第２凸部８３における移動レール８０に連結されている基端面の面積と同じである。第２凸部８３の突出高さと、第５凸部７４の突出高さ又は第６凸部７５の突出高さとを加算した高さは、移動レール８０の上面８０Ａと上側レール７１の下面７１Ａとの間の高さｈ１と等しい。本実施形態では、第２凸部８３の突出高さ、第５凸部７４の突出高さ、及び第６凸部７５の突出高さはそれぞれ、上記高さｈ１の半分に設定されている。
【００３７】
図１０に実線で示すように、第５凸部７４は、蓋体５０が閉位置にあるときの第２凸部８３の位置に対応して配置されている。また、図１０に二点鎖線で示すように、第６凸部７５は、蓋体５０が開位置にあるときの第２凸部８３の位置に対応して配置されている。そのため、蓋体５０が閉位置にあるときには、第２凸部８３の第２先端面８３Ａと第５凸部７４の先端面７４Ａとが接触し、蓋体５０が開位置にあるときには、第２凸部８３の第２先端面８３Ａと第６凸部７５の先端面７５Ａとが接触する。すなわち、第５凸部７４の先端面７４Ａ及び第６凸部７５の先端面７５Ａがそれぞれ、第２凸部８３と接触する接触面として機能する。そのため、蓋体５０が閉位置にあるとき及び開位置にあるときに、移動レール８０の上記移動方向における他端部（図１０の左端部）は、上側レール７１と下側レール７６とによって挟まれた状態になる。本実施形態では、第３凸部７２、第４凸部７３、第５凸部７４、及び第６凸部７５は、それぞれ同じ形状に形成されている。したがって、図６に示すように蓋体５０の移動方向から視た場合、第３凸部７２と第４凸部７３とは重なっており、第５凸部７４と第６凸部７５とは重なっている。
【００３８】
また、図８に示すように、上記移動方向（図８の上下方向）においては、第４凸部７３は第５凸部７４及び第６凸部７５の間に配置されていて、第５凸部７４は第３凸部７２及び第４凸部７３の間に配置されている。一方で、第３凸部７２及び第４凸部７３は、第５凸部７４及び第６凸部７５が設けられている第２投影領域Ｒ４内には配置されておらず、第５凸部７４及び第６凸部７５は、第３凸部７２及び第４凸部７３が設けられている第１投影領域Ｒ３内には配置されていない。そのため、図６に示すように、上記移動方向から視た場合、第３凸部７２及び第４凸部７３と、第５凸部７４及び第６凸部７５とは重ならない。
【００３９】
本実施形態の作用効果について説明する。
（１）本実施形態では、蓋体５０が閉位置にあるとき及び開位置にあるときの双方において、第１凸部８２が第３凸部７２または第４凸部７３と接触し、第２凸部８３が第５凸部７４または第６凸部７５と接触する。そのため、蓋体５０が閉位置にあるとき及び開位置にあるときの双方において、蓋体５０に連結された移動レール８０が固定レール７０によって挟まれた状態となり、該蓋体５０の上下方向のがたつきが抑えられる。
【００４０】
また、移動レール８０に設けられた第１凸部８２及び第２凸部８３が蓋体５０の移動方向から視たときに離間している。すなわち、移動レール８０に設けられた第１凸部８２の固定レール７０に対する相対移動軌跡である第１軌跡Ｒ１と、第２凸部８３の固定レール７０に対する相対移動軌跡である第２軌跡Ｒ２とが蓋体５０の移動方向から視たときに離間している。そして、上側レール７１には、蓋体５０が閉位置にあるときに、第１凸部８２と接触する第３凸部７２、及び第２凸部８３と接触する第５凸部７４が設けられ、蓋体５０が開位置にあるときに、第１凸部８２と接触する第４凸部７３、及び第２凸部８３と接触する第６凸部７５が設けられている。このように、上記移動方向から視たときに離間している第１凸部８２及び第２凸部８３と接触するように、第３凸部７２、第４凸部７３、第５凸部７４、及び第６凸部７５が配置されている。つまり、第１凸部８２と接触する第３凸部７２及び第４凸部７３が第１軌跡Ｒ１の投影領域上に配置され、第２凸部８３と接触する第５凸部７４及び第６凸部７５が第２軌跡Ｒ２の投影領域上に配置されている。本実施形態では、上記移動方向（図８の上下方向）において第４凸部７３が第５凸部７４及び第６凸部７５の間に配置され、第５凸部７４が第３凸部７２及び第４凸部７３の間に配置されている。この場合であっても、蓋体５０を移動させる際に、閉位置と開位置との間で第１凸部８２が第５凸部７４及び第６凸部７５と接触すること、及び、第２凸部８３が第３凸部７２及び第４凸部７３と接触することが抑えられる。すなわち、蓋体５０が閉位置から開位置に移動して、第１凸部８２が第３凸部７２に接触した状態から第４凸部７３に接触した状態に到る際に、第１凸部８２を第５凸部７４及び第６凸部７５と干渉しにくくできる。また、蓋体５０が閉位置から開位置に移動して、第２凸部８３が第５凸部７４に接触した状態から第６凸部７５に接触した状態に到る際に、第２凸部８３を第３凸部７２及び第４凸部７３と干渉しにくくできる。なお、蓋体５０が開位置から閉位置に移動する際も同様である。その結果、蓋体５０を円滑に移動させることができ、ひいては、保持機構９０のばね９１の付勢力によって蓋体５０を開位置から閉位置に戻す際にも蓋体５０の戻り不良が生じにくくなる。
【００４１】
（２）第１凸部８２及び第２凸部８３を移動レール８０に設け、第３凸部７２、第４凸部７３、第５凸部７４、及び第６凸部７５を上側レール７１に設けた。そして、第３凸部７２及び第４凸部７３の各々の接触面である先端面７２Ａ，７３Ａを第１凸部８２の第１先端面８２Ａよりも大きくし、第５凸部７４及び第６凸部７５の各々の接触面である先端面７４Ａ，７５Ａを第２凸部８３の第２先端面８３Ａよりも大きくした。
【００４２】
固定レール７０に対して移動レール８０が相対移動して蓋体５０が閉位置又は開位置に配置される場合、その配置が所定の位置からずれることもある。本実施形態では、そうした蓋体５０の配置ずれが生じたとしても、第１凸部８２の第１先端面８２Ａと第３凸部７２及び第４凸部７３の各々の先端面７２Ａ，７３Ａとの接触面積がより小さくなることを抑えることができる。また、第２凸部８３の第２先端面８３Ａと第５凸部７４及び第６凸部７５の各々の先端面７４Ａ，７５Ａとの接触面積がより小さくなることも抑えることができる。したがって、蓋体５０の閉位置及び開位置における配置安定性の向上に貢献できる。なお、蓋体５０とともに移動する移動レール８０に設けられた第１凸部８２及び第２凸部８３ではなく、ケース４０に固定された上側レール７１に設けられた第３凸部７２、第４凸部７３、第５凸部７４、及び第６凸部７５において、それらの先端面７２Ａ，７３Ａ，７４Ａ，７５Ａを大きくしている。そのため、蓋体５０の質量増加を抑えることもできる。したがって、蓋体５０の移動性の向上を図りつつ、蓋体５０の配置安定性の向上にも貢献できる。
【００４３】
（３）本実施形態では、第１凸部８２が移動レール８０の上記移動方向における一端部に配置され、第２凸部８３が移動レール８０の上記移動方向における他端部に配置されている。そして、蓋体５０が閉位置及び開位置にあるときに、移動レール８０の両端部が固定レール７０によって挟まれて支持される。したがって、移動レール８０の中央部分を固定レール７０によって支持する構成に比して蓋体５０の傾きが抑制され、閉位置及び開位置にあるときの蓋体５０の配置安定性が向上する。
【００４４】
（４）移動レール８０に設けられた第１凸部８２及び第２凸部８３、並びに上側レール７１に設けられた第３凸部７２、第４凸部７３、第５凸部７４、及び第６凸部７５を四角錘台形状に形成している。蓋体５０が相対移動している状態から閉位置又は開位置へ配置された状態に到る際、第１凸部８２の側面８２Ｂと第３凸部７２及び第４凸部７３の各側面７２Ｂ，７３Ｂとが接触することがある。本実施形態では、仮に、第１凸部８２の側面８２Ｂと第３凸部７２及び第４凸部７３との各側面７２Ｂ，７３Ｂとが接触したとしても、第１凸部８２の第１先端面８２Ａと第３凸部７２及び第４凸部７３の先端面７２Ａ，７３Ａとの接触へより円滑に移行する。なお、同様に、第２凸部８３の側面８３Ｂと第５凸部７４及び第６凸部７５との各側面７４Ｂ，７５Ｂとが接触したとしても、第２凸部８３の第２先端面８３Ａと第５凸部７４及び第６凸部７５の先端面７４Ａ，７５Ａとの接触へより円滑に移行する。したがって、蓋体５０の相対移動が不安定であったとしても、蓋体５０の閉位置又は開位置への配置がより確実となる。
【００４５】
（５）固定レール７０が互いに離間する一対のレールであり、移動レール８０は、固定レール７０の一対のレールの間に配置された構成とした。スライド機構６０の構成として固定レール７０が設けられるのは、蓋体５０ではなくケース４０である。移動レール８０は、その質量が一対のレールからなる固定レール７０の質量よりも小さい構成としている。そのため、移動レール８０を配設することによる蓋体５０の質量増加を抑えることができ、蓋体５０が移動する際の移動性の向上に貢献できる。
【００４６】
上記実施形態は以下のように変更して実施することができる。
・第１凸部８２、第２凸部８３、第３凸部７２、第４凸部７３、第５凸部７４、及び第６凸部７５の形状は、四角錘台形状に限らない。例えば、断面が円形の円錐台形状であってもよいし、断面が四角形以外の他の多角錘台形状であってもよい。これらの構成であっても、上記（３）と同様の作用効果を得ることは可能である。
【００４７】
・第１凸部８２、第２凸部８３、第３凸部７２、第４凸部７３、第５凸部７４、及び第６凸部７５の形状を錘台形状以外に変更してもよい。例えば、角柱状や円柱状に形成してもよい。
【００４８】
・第３凸部７２の先端面７２Ａの面積及び第４凸部７３の先端面７３Ａの面積を第１凸部８２の第１先端面８２Ａの面積に比して大きくしたが、この構成は適宜変更が可能である。すなわち、第３凸部７２の先端面７２Ａの面積及び第４凸部７３の先端面７３Ａの面積の少なくとも１つを第１先端面８２Ａの面積と同じにしてもよいし、第１先端面８２Ａの面積よりも小さくてもよい。また、第３凸部７２の上記基端面の面積及び第４凸部７３の上記基端面の面積の設定態様についても、各々が第１凸部８２の基端面の面積と同じである必要はなく、少なくとも１つが第１凸部８２の基端面の面積よりも大きくてもよいし、小さくてもよい。
【００４９】
・第５凸部７４の先端面７４Ａの面積及び第６凸部７５の先端面７５Ａの面積を第２凸部８３の第２先端面８３Ａの面積に比して大きくしたが、この構成は適宜変更が可能である。すなわち、第５凸部７４の先端面７４Ａの面積及び第６凸部７５の先端面７５Ａの面積の少なくとも１つを第２先端面８３Ａの面積と同じにしてもよいし、第２先端面８３Ａの面積よりも小さくてもよい。また、第５凸部７４の上記基端面の面積及び第６凸部７５の上記基端面の面積の設定態様についても、各々が第２凸部８３の基端面の面積と同じである必要はなく、少なくとも１つが第２凸部８３の基端面の面積よりも大きくてもよいし、小さくてもよい。
【００５０】
・第１凸部８２の形状と第２凸部８３の形状とを同じ形状としたが、これらの形状は互いに異なっていてもよい。
・第３凸部７２、第４凸部７３、第５凸部７４、及び第６凸部７５をそれぞれ同じ形状に形成したが、これらの形状は互いに異なっていてもよい。
【００５１】
・上記実施形態では、第１凸部８２の突出高さ、第３凸部７２の突出高さ、及び第４凸部７３の突出高さをそれぞれ、移動レール８０の上面８０Ａと上側レール７１の下面７１Ａとの間の高さｈ１の半分に設定した。この構成は、閉位置または開位置において、第１凸部８２と第３凸部７２及び第４凸部７３とが接触可能であれば、適宜変更が可能である。例えば、第１凸部８２の突出高さを上記高さｈ１の１／３に設定し、第３凸部７２の突出高さ、及び第４凸部７３の突出高さを上記高さｈ１の２／３に設定してもよい。
【００５２】
・上記実施形態では、第２凸部８３の突出高さ、第５凸部７４の突出高さ、及び第６凸部７５の突出高さをそれぞれ、移動レール８０の上面８０Ａと上側レール７１の下面７１Ａとの間の高さｈ１の半分に設定した。この構成は、閉位置または開位置において、第２凸部８３と第５凸部７４及び第６凸部７５とが接触可能であれば、適宜変更が可能である。例えば、第２凸部８３の突出高さを上記高さｈ１の１／３に設定し、第５凸部７４の突出高さ、及び第６凸部７５の突出高さを上記高さｈ１の２／３に設定してもよい。
【００５３】
・移動レール８０において、第１凸部８２及び第２凸部８３を上記移動方向における両端部に設けたが、第１凸部８２及び第２凸部８３の移動方向における配置態様は互いに離間しているのであれば適宜変更が可能である。例えば、第１凸部８２及び第２凸部８３の一方を、移動レール８０において移動方向の中央部分に配置してもよい。この場合であっても、蓋体５０が閉位置にあるときに、第１凸部８２と第３凸部７２とが接触するとともに第２凸部８３と第５凸部７４とが接触するように、第３凸部７２及び第５凸部７４を配置する。また、蓋体５０が開位置にあるときに、第１凸部８２と第４凸部７３とが接触するとともに第２凸部８３と第６凸部７５とが接触するように、第４凸部７３及び第６凸部７５を配置すればよい。
【００５４】
・蓋体５０が閉位置にあるときと開位置にあるときとの双方において、移動レール８０は、移動方向における全体が固定レール７０の上側レール７１及び下側レール７６と対向する構成としたが、この構成は変更が可能である。例えば、移動レール８０は、蓋体５０が開位置にあるときはその移動方向における全体が固定レール７０の各レール７１，７６と対向する一方で、蓋体５０が閉位置にあるときはその移動方向における一端部が固定レール７０の各レール７１，７６の間から引き出される構成としてもよい。この場合であっても、蓋体５０が閉位置及び開位置にあるときの双方において、第１凸部８２が第３凸部７２または第４凸部７３に接触し、第２凸部８３が第５凸部７４または第６凸部７５に接触するように、各凸部８２，８３，７２，７３，７４，７５を配置すればよい。
【００５５】
・固定レール７０は、閉位置と開位置とにおいて移動レール８０に接触可能に各凸部７２，７３，７４，７５を配設することが可能であれば、ケース４０の側壁４２の上記一端から上記他端まで延びていなくてもよい。また、移動レール８０は、必ずしも周壁５２の上記一端から上記他端まで延びている必要はない。
【００５６】
・上記実施形態のスライド機構６０では、固定レール７０を一対のレールによって構成し、移動レール８０を一対のレールの間に配置される構成とした。こうした構成に代えて、移動レールを一対のレールによって構成し、固定レール７０を一対のレールの間に配置される一本のレールとして構成することも可能である。
【００５７】
図１１に示すように、スライド機構２００は、ケース４０に配設された固定レール２２０と、蓋体に配設された移動レール２１０とを有している。移動レール２１０は、一対のレールからなる。一対のレールは、互いに上下方向に離間して対向している。一対のレールのうち、上側に配置されたレールを上側レール２１１といい、下側に配置されたレールを下側レール２１２という。移動レール８０は、各レール２１１，２１２の一端が蓋体５０の周壁５２の外周面に連結されている。移動レール２１０は、蓋体５０の周壁５２において、該蓋体５０の移動方向（図１１の奥行き方向）における一端から上記移動方向における他端まで連続して板状に延びている。
【００５８】
固定レール２２０は、移動レール２１０の上側レール２１１及び下側レール２１２の間に配置されている。固定レール２２０は、一本のレールであり、その一端がケース４０の側壁４２の内周面に連結されている。固定レール２２０は、ケース４０の側壁４２において、上記移動方向における一端から上記移動方向における他端まで連続して板状に延びている。固定レール２２０における板厚や板幅は、移動レール２１０の各レール２１１，２１２における板厚や板幅と同じである。一方で、固定レール２２０の長さは、移動レール２１０の長さの略２倍に設定されている。固定レール２２０には上側レール２１１が載置されていて、固定レール２２０の上面２２０Ｂと上側レール２１１の下面２１１Ａとが当接している。移動レール２１０の各レール２１１，２１２間の距離は、固定レール２２０の板厚よりも大きい。そのため、固定レール２２０は、その下面２２０Ａが下側レール２１２の上面２１２Ａから離間している。固定レール２２０はケース４０に固定されていて、移動レール２１０は蓋体５０とともにケース４０及び固定レール２２０に対して相対移動する。蓋体５０がケース４０に対して相対移動する際には、移動レール２１０の上側レール２１１が固定レール２２０に対して摺動し、蓋体５０の移動が案内される。
【００５９】
なお、この構成では、移動レールである下側レール２１２に、その上面２１２Ａから上方、すなわち固定レール２２０に向けて突出した第１凸部８２及び第２凸部８３が設けられている。また、固定レール２２０には、その下面２２０Ａから下方、すなわち下側レール２１２に向けて突出した第３凸部７２、第４凸部７３、第５凸部７４、及び第６凸部７５が設けられている。これら第１凸部８２及び第２凸部８３、並びに第３凸部７２、第４凸部７３、第５凸部７４、及び第６凸部７５は、それらの形状や配置態様が上記実施形態と同様であるため、同一の符号を付して詳細な説明は省略する。こうした構成であっても、上記（１）〜（４）と同様の作用効果を得ることができる。
【００６０】
また、この構成において、固定レール２２０は、閉位置と開位置とにおいて下側レール２１２と接触可能に各凸部７２，７３，７４，７５を配設することが可能であれば、ケース４０の側壁４２の上記一端から上記他端まで延びていなくてもよい。また、移動レール２１０は、必ずしも周壁５２の上記一端から上記他端まで延びている必要はない。
【００６１】
・上述した固定レールに配設される各凸部の配置態様を以下のように変更することも可能である。
図１２に示すように、固定レール３００には、蓋体が閉位置にあるときに、第１凸部８２と接触する第３凸部３０１、及び第２凸部８３と接触する第５凸部３０３と、蓋体５０が開位置にあるときに、第１凸部８２と接触する第４凸部３０２、及び第２凸部８３と接触する第６凸部３０４とが設けられている。
【００６２】
第３凸部３０１は、固定レール３００において、蓋体５０の移動方向（図１２の上下方向）における一端部（図１２の下端部）に設けられている。第３凸部３０１は、該一端部において、上記移動方向と直交する直交方向（図１２の左右方向）に延びている。第３凸部３０１は、第１軌跡Ｒ１を固定レール３００に投影した領域上、すなわち、第１投影領域Ｒ３上にその一部が配置されている。一方で、第３凸部３０１は、第２軌跡Ｒ２を固定レール３００に投影した領域上、すなわち、第２投影領域Ｒ４上には配置されていない。
【００６３】
第４凸部３０２は、固定レール３００において、上記移動方向の中央部に設けられている。第４凸部３０２は、上記直交方向に延びており、第１投影領域Ｒ３上にその一部が配置されている一方で、第２投影領域Ｒ４上には配置されていない。
【００６４】
第５凸部３０３は、固定レール３００において、上記移動方向の中央部に設けられている。第５凸部３０３は、第４凸部３０２よりも上記一端側に配置されている。第５凸部３０３は、上記直交方向に延びており、第２投影領域Ｒ４上にその一部が配置されている一方で、第１投影領域Ｒ３上には配置されていない。
【００６５】
第６凸部３０４は、固定レール３００において、上記移動方向における他端部（図１２の上端部）に設けられている。第６凸部３０４は、該他端部において、上記直交方向に延びている。第６凸部３０４は、第２投影領域Ｒ４上にその一部が配置されている一方で、第１投影領域Ｒ３上には配置されていない。
【００６６】
こうした構成によっても、蓋体５０が閉位置から開位置に移動して、第１凸部８２が第３凸部３０１に接触した状態から第４凸部３０２に接触した状態に到る際に、第１凸部８２を第５凸部３０３及び第６凸部３０４と干渉しにくくできる。また、蓋体５０が閉位置から開位置に移動して、第２凸部８３が第５凸部３０３に接触した状態から第６凸部３０４に接触した状態に変化する際に、第２凸部８３を第３凸部３０１及び第４凸部３０２と干渉しにくくできる。
【００６７】
・スライド機構として蓋体５０の上下方向のがたつきが抑えるものを例示したが、スライド機構として蓋体５０の左右方向におけるがたつきを抑えるものを採用することも可能である。例えば図１３に示す構成を採用することができる。
【００６８】
図１３に示すように、スライド機構４００は、ケース４０に配設された固定レール４１０と、蓋体５０に配設された移動レール４２０とを有している。固定レール４１０は、一対のレールからなる。一対のレールは、それらの一端がケース４０の上壁４３に連結されていて、互いに左右方向に離間している。一対のレールのうち、右側に配置されたレールを右側レール４１１といい、左側に配置されたレールを左側レール４１２という。固定レール４１０は、ケース４０の上壁４３において、蓋体５０の移動方向（図１３の奥行き方向）における一端から上記移動方向における他端まで連続して板状に延びている。
【００６９】
移動レール４２０は、蓋体５０の周壁５２において、上記移動方向における一端から上記移動方向における他端まで連続して延びている。移動レール４２０は、固定レール４１０の右側レール４１１及び左側レール４１２の間に配置されている中間部４２１と、該中間部４２１の下端から屈曲して延びていて蓋体５０の周壁５２の外周面に連結された摺動部４２２とを有している。
【００７０】
スライド機構４００は、ケース４０の側壁４２の内周面から突出している支持壁４３０も有している。支持壁４３０は、ケース４０の側壁４２において、上記移動方向における一端から上記移動方向における他端まで連続して延びている。支持壁４３０には、移動レール４２０の摺動部４２２が載置されている。移動レール４２０の中間部４２１は、その左側面４２１Ｂが左側レール４１２の右側面４１２Ａに接触している。そのため、蓋体５０の移動に伴い、移動レール４２０は、摺動部４２２が支持壁４３０に対して摺動するとともに、中間部４２１が左側レール４１２に対して摺動する。このように、蓋体５０がケース４０に対して相対移動する際には、スライド機構４００によって蓋体５０の相対移動が案内される。
【００７１】
移動レール４２０の中間部４２１には、その右側面４２１Ａから右方、すなわち右側レール４１１に向けて突出した第１凸部８２及び第２凸部８３が設けられている。第１凸部８２及び第２凸部８３は、蓋体５０の移動方向に離間して配置されている。図１３に示すように、第１凸部８２と第２凸部８３とは、蓋体５０の移動方向から視たときに該移動方向と直交する直交方向（図１３の上下方向）において離間している。そのため、図１３に示すように蓋体５０の移動方向から視た場合、第１凸部８２と第２凸部８３とは重ならない。すなわち、第１凸部８２の固定レール４１０に対する相対移動軌跡である第１軌跡と、第２凸部８３の固定レール４１０に対する相対移動軌跡である第２軌跡とは、蓋体５０の移動方向から視たときに上記直交方向（図１３の上下方向）において離間している。
【００７２】
右側レール４１１の左側面４１１Ａには、第１軌跡Ｒ１を中間部４２１の右側面４２１Ａに対して垂直な方向に投影した投影領域上、すなわち、側面視において右側レール４１１における第１軌跡と重なる領域上に第３凸部７２及び第４凸部７３が配置されている。また、右側レール４１１の左側面４１１Ａには、第２軌跡を中間部４２１の右側面４２１Ａに対して垂直な方向に投影した投影領域上、すなわち、側面視において右側レール４１１における第２軌跡と重なる領域上に第５凸部７４及び第６凸部７５が配置されている。蓋体５０が閉位置にあるときには、第１凸部８２と第３凸部７２とが接触し、蓋体５０が開位置にあるときには、第１凸部８２と第４凸部７３とが接触する。また、蓋体５０が閉位置にあるときには、第２凸部８３と第５凸部とが接触し、蓋体５０が開位置にあるときには、第２凸部８３と第６凸部７５とが接触する。こうした構成によれば、蓋体５０が閉位置にあるとき及び開位置にあるときの双方において、蓋体５０に連結された移動レール４２０が固定レール４１０によって挟まれた状態となり、該蓋体５０の左右方向のがたつきが抑えられる。また、蓋体５０を移動させる際に、閉位置と開位置との間で第１凸部８２が第５凸部７４及び第６凸部７５と接触すること、及び、第２凸部８３が第３凸部７２及び第４凸部７３と接触することが抑えられる。その結果、閉位置及び開位置に配置された際に蓋体５０が左右方向にがたつくことを抑制することができるとともに、蓋体５０を円滑に移動させることができる。
【００７３】
・上述した構成では、移動レールに第１凸部８２及び第２凸部８３を設け、固定レールに第３凸部７２，３０１、第４凸部７３，３０２、第５凸部７４，３０３、及び第６凸部７５，３０４を設けた例を示した。こうした構成に代えて、固定レールに第１凸部８２及び第２凸部８３を設け、移動レールに第３凸部７２，３０１、第４凸部７３，３０２、第５凸部７４，３０３、及び第６凸部７５，３０４を設けてもよい。すなわち、この構成において、上記実施形態の移動レールにおける第１凸部８２及び第２凸部８３と同様の構成を、固定レールに設けられた第１凸部及び第２凸部に適用することが可能である。また、上記実施形態の固定レールにおける第３凸部７２、第４凸部７３、第５凸部７４、及び第６凸部７５の構成と同様の構成を、移動レールに設けられた第３凸部、第４凸部、第５凸部、及び第６凸部に適用することが可能である。
【００７４】
・収納ボックス３０に保持機構９０を設けなくてもよい。この場合、収納ボックス３０の開口を閉塞する際には、蓋体５０を開位置から閉位置まで手動で移動させればよい。
・上記実施形態では、蓋体５０を閉位置と開位置との間で移動させる例を示したが、蓋体の移動態様は変更が可能である。例えば、蓋体５０が開口４３Ａを半分開放する半開位置と、開口４３Ａを全開放する全開位置との間で移動させる構成であってもよい。この場合、半開位置が第１位置に相当し、全開位置が第２位置に相当する。
【００７５】
・収納ボックス３０の移動体は、上述した蓋体５０に限らない。例えば、一端部がケースから引出可能な引出式のものであってもよい。
・上記実施形態では、一対のスライド機構６０が対称の構成を備える例を示したが、これら一対のスライド機構６０が対称である必要はない。例えば、一方のスライド機構６０のみに各主凸部または各副凸部を設けるようにしてもよい。
【００７６】
・収納ボックスをセンターコンソール１０に配設した例を示したが、ダッシュボードなど他の内装部材に設けられる収納ボックスにおいても上記実施形態と同様の構成を適用することが可能である。
【符号の説明】
【００７７】
１０…センターコンソール、２０…カップホルダ、３０…収納ボックス、４０…ケース、４１…下壁、４２…側壁、４３…上壁、４３Ａ…開口、５０…蓋体（移動体）、５１…底壁、５２…周壁、５３…操作壁、５３Ａ…操作孔、６０…スライド機構、６０Ａ…一方のスライド機構、６０Ｂ…他方のスライド機構、７０…固定レール、７１…上側レール、７１Ａ…下面、７２…第３凸部、７２Ａ…先端面、７２Ｂ…側面、７３…第４凸部、７３Ａ…先端面、７３Ｂ…側面、７４…第５凸部、７４Ａ…先端面、７４Ｂ…側面、７５…第６凸部、７５Ａ…先端面、７５Ｂ…側面、７６…下側レール、７６Ａ…上面、８０…移動レール、８０Ａ…上面、８０Ｂ…下面、８２…第１凸部、８２Ａ…第１先端面、８２Ｂ…側面、８３…第２凸部、８３Ａ…第２先端面、８３Ｂ…側面、９０…保持機構、９１…ばね、９２…ラッチ、９３…爪、１００…ケース、１０１…下壁、１０２…側壁、１０３…上壁、１１０…引出体、１１１…底壁、１１２…周壁、１２０…スライド機構、１２１…固定レール、１２２…上側レール、１２２Ａ…第１凸部、１２２Ｂ…第２凸部、１２２Ｃ…第３凸部、１２３…下側レール、１２４…対向面、１２５…移動レール、１２５Ａ…第４凸部、１２５Ｂ…第５凸部、１２６Ｃ…第６凸部、１２６…移動面、２００…スライド機構、２１０…移動レール、２１１…上側レール、２１１Ａ…下面、２１２…下側レール、２１２Ａ…上面、２２０…固定レール、２２０Ａ…下面、２２０Ｂ…上面、３００…固定レール、３０１…第３凸部、３０２…第４凸部、３０３…第５凸部、３０４…第６凸部、４００…スライド機構、４１０…固定レール、４１１…右側レール、４１１Ａ…左側面、４１２…左側レール、４１２Ａ…右側面、４２０…移動レール、４２１…中間部、４２１Ａ…右側面、４２１Ｂ…左側面、４２２…摺動部、４３０…支持壁。
【図１】
2018075981.tif 000003
【図２】
2018075981.tif 000004
【図３】
2018075981.tif 000005
【図４】
2018075981.tif 000006
【図５】
2018075981.tif 000007
【図６】
2018075981.tif 000008
【図７】
2018075981.tif 000009
【図８】
2018075981.tif 000010
【図９】
2018075981.tif 000011
【図１０】
2018075981.tif 000012
【図１１】
2018075981.tif 000013
【図１２】
2018075981.tif 000014
【図１３】
2018075981.tif 000015
【図１４】
2018075981.tif 000016
【図１５】
2018075981.tif 000017
【図１６】
2018075981.tif 000018